(57)【要約】      （修正有）【課題】３６０°の角度範囲に同時に気流を吹き付け続けることができる扇風機を提供する。【解決手段】所定方向Ｌに沿って延伸する回転軸１２と、回転軸を回転駆動するモーター１１と、モーターを支持する支持手段２０とを備え、回転軸には、所定方向Ｌと平行する付け根１２０を有する羽根１２１が少なくとも１つ突出するように形成されている。羽根は板状で、回転軸から突出する先端縁が波状に凹凸するように、また円弧状に湾曲するように形成されていることが好ましい。【選択図】図１
0003198473.tif 000002
【実用新案登録請求の範囲】
【請求項１】
所定方向に沿って延伸する回転軸と、
前記回転軸を回転駆動するモーターと、
前記モーターを支持する支持手段とを備え、
前記回転軸には、前記所定方向と平行する付け根を有する羽根が少なくとも１つ突出するように形成されていることを特徴とする扇風機。
【請求項２】
前記支持手段は、前記所定方向に沿って伸縮できるように構成された支持柱を有していることを特徴とする請求項１に記載の扇風機。
【請求項３】
前記支持手段は、前記支持柱から前記所定方向を軸心としながら前記所定方向と鋭角を成すようにそれぞれ異なる方向に向って外側へ放射状且つ斜めに延伸する少なくとも３つの支持脚を有していることを特徴とする請求項２に記載の扇風機。
【請求項４】
前記羽根は板状で、且つ前記回転軸から突出する先端縁が波状に凹凸するように形成されていることを特徴とする請求項１〜３のいずれか一項に記載の扇風機。
【請求項５】
前記羽根は板状で、且つ前記回転軸から突出する先端縁が円弧状に湾曲するように形成されていることを特徴とする請求項１〜３のいずれか一項に記載の扇風機。
【請求項６】
前記羽根は板状で、且つ多角形に形成されていることを特徴とする請求項１〜３のいずれか一項に記載の扇風機。
【請求項７】
前記羽根は板状で、且つ矩形に形成されていることを特徴とする請求項１〜３のいずれか一項に記載の扇風機。
【考案の詳細な説明】
【技術分野】
【０００１】
本考案は扇風機に関し、特に、３６０度扇風機に関する。
【背景技術】
【０００２】
従来の扇風機は、例えば所定方向に沿って延伸する回転軸と、前記回転軸を回転駆動するモーターと、前記モーターに取り付けられる転向機構と、回転軸から放射状に展開するように延伸する複数の螺旋状羽根と、前記モーターを支持する台座とを含むように構成されたものが挙げられる。このような従来の扇風機が有する前記台座は、通常前記モーターから下方へ延伸する一本の支持柱と、平板状に形成されて該支持柱の下端に取り付けられている支持台とを有するように構成されている。このような従来の扇風機は、前記転向機構によって前記モーターが所定の角度範囲内で左右往復回動（いわゆる首振り）しながら、前記回転軸と共に前記モーターによって回転駆動される各前記螺旋状羽根の回転により、前記回転軸の軸方向を中心として前記モーターから離れる方向へ気流を吹き付けて冷却効果を発揮することができる。
【０００３】
しかし、上記構成を有する従来の扇風機が気流を吹き付けられる範囲が不十分である欠点を持っている。即ち、前記転向機構を起動しない場合、各前記螺旋状羽根の回転により、前記回転軸の軸方向を中心とする極めて限られた範囲内にしか気流を吹き付けることが出来ず、そして前記転向機構を起動しても前記転向機構の回動可能範囲に限られる上、一箇所に対して気流を吹き付け続けることが出来なくなってしまうことになる。更に、前記台座の支持台は平板状であるため、起伏が激しい場所では該扇風機を安定に設置することができない欠点もある。
【考案の概要】
【考案が解決しようとする課題】
【０００４】
上記問題点に鑑みて、本考案は３６０°の角度範囲に同時に気流を吹き付け続けることができる扇風機の提供を目的とする。
【課題を解決するための手段】
【０００５】
上記目的を達成すべく、本考案は、所定方向に沿って延伸する回転軸と、前記回転軸を回転駆動するモーターと、前記モーターを支持する支持手段とを備え、前記回転軸には、前記所定方向と平行する付け根を有する羽根が少なくとも１つ突出するように形成されていることを特徴とする扇風機を提供する。
【考案の効果】
【０００６】
上記構成によれば、本考案の扇風機は、所定方向に沿って延伸する回転軸に、前記所定方向と平行して突出する羽根が少なくとも１つ形成されているので、前記回転軸が前記モーターにより回転駆動されると、前記羽根によって前記回転軸を中心とする３６０°の角度範囲に気流を吹き付け続けることができる。
【図面の簡単な説明】
【０００７】
【図１】本考案の扇風機の好ましい実施形態が示される斜視図である。
【図２】本考案の扇風機の好ましい実施形態における作動時の気流方向が示される側面図である。
【図３】本考案の扇風機における羽根の構成に関する第１の変化例が示される一部側面図である。
【図４】本考案の扇風機における羽根の構成に関する第２の変化例が示される一部側面図である。
【図５】本考案の扇風機における羽根の構成に関する第３の変化例が示される斜視図である。
【図６】本考案の扇風機における羽根の構成に関する第４の変化例が示される斜視図である。
【図７】本考案の扇風機における羽根の構成に関する第５の変化例が示される斜視図である。
【図８】本考案の扇風機における羽根の構成に関する第６の変化例が示される斜視図である。
【図９】本考案の扇風機における羽根の構成に関する第７の変化例が示される斜視図である。
【図１０】本考案の扇風機における支持手段の構成に関する第１の変化例が示される斜視図である。
【図１１】本考案の扇風機における支持手段の構成に関する第２の変化例が示される斜視図である。
【図１２】本考案の扇風機における支持手段の構成に関する第３の変化例が示される斜視図である。
【図１３】本考案の扇風機における支持手段の構成に関する第４の変化例が示される斜視図である。
【考案を実施するための形態】
【０００８】
以下では主に図１と図２を参照しながら、本考案の扇風機の好ましい実施形態について詳しく説明する。図示のようにこの実施形態において本考案の扇風機は、設置面９に設置されている状態が示されており、所定方向Ｌ（図中では上下方向）に沿って延伸する回転軸１２と、回転軸１２を回転駆動するモーター１１と、モーター１１を支持する支持手段２０とを備える上、回転軸１２には、前記所定方向Ｌと平行する付け根１２０をそれぞれ有する４つの羽根１２１が突出するように形成されている。更に、この実施形態においては、４つの羽根１２１の外側に円周状に配置されて４つの羽根１２１を周囲から囲む複数の保護枠（図示せず）を有するカバー１４と、支持手段２０に取り付けられていると共に、モーター１１に電気的に接続してモーター１１の回転を制御する制御パネル２３と、を更に具えている。
【０００９】
また、この実施形態において、各羽根１２は板状で、且つ回転軸１１から突出する先端縁が波状に凹凸するように形成されている。そして図２に示されるように、各羽根１２１は回転軸１２の所定方向Ｌと平行して形成されることで、本考案の扇風機は回転軸１１を中心とし、周辺３６０°の角度範囲に同時に気流を吹き付けることができる。
【００１０】
この実施形態における支持手段２０は、所定方向Ｌ（上下方向）に沿って伸縮することができ、且つカバー１４及びモーター１１を下から支持するように構成された支持柱２１と、所定方向Ｌを軸心としながら所定方向Ｌと鋭角を成すようにそれぞれ外側へ放射状且つ下側へ斜めに延伸する３つの支持脚２２を有している。そして図２に示されるように、支持手段２０の各支持脚２２は、３つの支持点を成すため、起伏が大きい設置面９においても同時に設置面９に接してカバー１４及びモーター１１を支持するので、本考案の扇風機を安定に設置することができる。
【００１１】
なお、本考案の扇風機の回転軸１２にある各羽根１２１の構成に関しては、図３と図４に示される第１及び第２の変化例のように波状に形成される各突出端縁の突出具合を変えることや、図５に示される第３の変化例のように羽根１２１の数量を３つに減少して軽量化したり、または図６に示される第４の変化例のように各羽根１２１の先端縁を円弧状に形成したり、あるいは図７に示される第５の変化例のように矩形に形成したり、図８に示される第６の変化例のように羽根１２１の数量を２つに減少して五角形などの多角形に形成したり、図９に示される第７の変化例のように羽根１２１の数量を１枚のみにすることによって更なる軽量化を図ったりすることも可能である。即ち、本考案の扇風機は、各羽根１２１が所定方向Ｌ（上下方向／回転軸１２の延伸方向）と平行する付け根１２０を有していればよく、上記実施形態に制限されずに様々な変化を加えることができる。
【００１２】
一方、本考案の扇風機の支持手段２０は、平坦な設置面に設置する場合、モーター１１から下方へ延伸する一本の支持柱２１と、支持柱２１の下端に取り付けられて設置面９と接する支持台２４とを有するように支持手段を構成することも可能である。例えば図１０に示されているように、この第１の変化例において、支持台２４は円環状に延伸する下支持部２４１と、下支持部２４１と連続すると共に、螺旋状に回りながら上方へ延伸して支持柱２１に接続する上延伸部２４２とを有するように形成されている。
【００１３】
また、図１１に示されているように、この第２の変化例において、支持柱２１は上下両端が比較的に細く、そして該上下両端の間にある中間部がより太くなるようにたる型に形成されており、また、この第２の変化例における支持台２４は、上面視での面積が比較的広い下段板部２４３と狭い上段板部２４４とからなる２段構成になっていると共に、該下段板部２４３及び上段板部２４４は共に円形の板状に形成されている。
【００１４】
更に、図１２に示されているように、この第３の変化例において、支持台２４は上面視での面積が比較的広い下段板部２４５と狭い上段板部２４６とからなる２段構成になっていると共に、該下段板部２４５及び上段板部２４６は共に六角形の板状に形成されいる。また、この第３の変化例における支持柱２１は、モーター１１を支持すると共に、制御パネル２３が取付けられているパネル取付部２１１と、パネル取付部２１１から支持台２４まで延伸し、且つパネル取付部２１１と接する部分から支持台２４と接する部分に向かって段々と細くなるように形成されている支持本体部２１２とを有するように形成されている。
【００１５】
そして図１３に示されているように、この第４の変化例は図１２に示されている第３の変化例に類似して、支持柱２１は、モーター１１を支持すると共に、制御パネル２３が取付けられているパネル取付部２１１と、パネル取付部２１１から支持台２４まで延伸し、且つパネル取付部２１１と接する部分から支持台２４と接する部分に向かって段々と細くなるように形成されている支持本体部２１２とを有するように形成されているが、この第４の変化例において、支持本体部２１２には複数の装飾リング２１３が形成されており、また、支持台２４は下から上に向かって外径が段々に細くなる４つのドーナツ状部分が重なるように略截頭錐体状に形成されている。
【００１６】
即ち、本考案の扇風機の支持手段２０を構成する支持柱２１及び支持台２４については様々な意匠を加えることが可能であり、上記実施形態に制限されることはない。
【００１７】
総括すると、本考案の扇風機は、回転軸１２の延伸方向と平行する付け根１２０を有するように羽根１２１を形成することによって、所定方向Ｌを中心とし、周辺３６０°の角度範囲に同時に気流を吹き付けることができる。また、本考案の扇風機の支持手段２０は複数の支持脚２２を有するので、各支持脚２２がそれぞれの設置面９と接することで、起伏が大きい設置面９においても本考案の扇風機を安定に設置することができる。
【００１８】
以上、本考案の好ましい実施形態を説明したが、本考案はこれに限定されるものではなく、その要旨を逸脱しない範囲で種々変更可能である。
【産業上の利用可能性】
【００１９】
上記構成によれば、本考案の扇風機は、所定方向Ｌに沿って延伸する回転軸１２に、所定方向Ｌと平行して突出する羽根１２１が少なくとも１つ形成されているので、所定方向Ｌを中心とし、周辺３６０°の角度範囲に同時に気流を吹き付けることが必要となる場合に、本考案の扇風機は一台だけで従来の扇風機数台分の効果を発揮することができる。
【符号の説明】
【００２０】
１１  モーター
１２  回転軸
１２０  付け根
１２１  羽根
１４  カバー
２０  支持手段
２１  支持柱
２１１  パネル取付部
２１２  支持本体部
２１３  装飾リング
２２  支持脚
２３  制御パネル
２４  支持台
２４１  下支持部
２４２  上延伸部
２４３  下段板部
２４４  上段板部
２４５  下段板部
２４６  上段板部
９  設置面
Ｌ  所定方向
【図１】
0003198473.tif 000003
【図２】
0003198473.tif 000004
【図３】
0003198473.tif 000005
【図４】
0003198473.tif 000006
【図５】
0003198473.tif 000007
【図６】
0003198473.tif 000008
【図７】
0003198473.tif 000009
【図８】
0003198473.tif 000010
【図９】
0003198473.tif 000011
【図１０】
0003198473.tif 000012
【図１１】
0003198473.tif 000013
【図１２】
0003198473.tif 000014
【図１３】
0003198473.tif 000015